(57)【要約】【課題】薄型平面表示装置を用いた案内表示器の吊下げ設置の作業性を向上する。【解決手段】薄型平面表示装置１ａ，１ｂを用いた案内表示器の背部４ａ，４ｂに連結され、吊下げ支持される連結具６と、連結具６に連結されて案内表示器を床置状態に支持すること、及び連結具６から下方への移動により離脱することを可能に構成されたスタンド７とを用いる。脚車７ｄを持ったスタンド７を利用して案内表示器を設置現場に運搬し、スタンド７に支持させた状態でスタンド７ごとに案内表示器をリフター１４によりリフトアップし、連結具６を吊下げ状態に連結し、その後、スタンド７を連結具６から下方へ離脱させる。【選択図】図７
2008310137.tif 000002
【特許請求の範囲】
【請求項１】
薄型平面表示装置を用いた案内表示器の背部に連結され、吊下げ支持される連結具と、
前記連結具に連結されて前記案内表示器を床置状態に支持すること、及び前記連結具から下方への移動により離脱することを可能に構成されたスタンドとを備えた案内表示器の支持具。
【請求項２】
前記連結具は、２つの前記案内表示器を背合せに連結可能に構成されている請求項１に記載の案内表示器の支持具。
【請求項３】
前記連結具及び前記スタンドの側部に両者を互いに固定するボルトの挿入部が形成されている請求項２に記載の案内表示器の支持具。
【請求項４】
前記スタンドは脚車を有する請求項１、請求項２又は請求項３に記載の案内表示器の支持具。
【請求項５】
請求項１から請求項４のうちいずれか一に記載の案内表示器の支持具を用いた案内表示器の設置工法であって、
前記連結具及び前記スタンドが連結されて該スタンドによって支持された前記案内表示器を設置現場に運搬する工程と、
前記スタンドに支持させた状態で前記スタンドごとに前記案内表示器をリフターによりリフトアップし、前記連結具を吊下げ状態に連結する工程と、
前記スタンドを前記連結具から離脱させる工程とを以上の記載順で備える案内表示器の設置工法。
【発明の詳細な説明】
【技術分野】
【０００１】
本発明は、案内表示器の支持具及び設置工法に関する。
【背景技術】
【０００２】
近時、液晶表示装置、プラズマ表示装置等の薄型平面表示装置の大型化、低廉化に伴い、鉄道向け案内表示器としても従来のＬＥＤ表示装置に代え薄型平面表示装置を用いた案内表示器の実用化が進められつつある。
図９に示すように、薄型平面表示装置を用いた２つの案内表示器１０１，１０２が背合せに連結されて吊下げ設置される場合がある。かかる案内表示器１０１，１０２には、図９及び図１０に示すような連結具１０３が用いられる。なお、汎用の薄型平面表示装置は屋内用を想定して構成されているため、これを用いた案内表示器１０１，１０２を駅プラットホーム等の半野外等に設置する場合、案内表示器１０１，１０２は、防塵防滴等のための筐体内に汎用の薄型平面表示装置を収めた構成を有する。
従来、このような案内表示器１０１，１０２の設置工法は、以下の工程によっていた。
まず、図１１(a)(b)に示すように、連結具１０３をリフトアップし予め梁等に固定されている吊下支柱等の取付具１０４に連結する。
次に、図１１(b)(c)(d)に示すように、一方の案内表示器１０１と他方の案内表示器１０２をそれぞれ別々にリフトアップし、背部を連結具１０３に連結する。
【発明の開示】
【発明が解決しようとする課題】
【０００３】
以上のように、連結具１０３と２つの案内表示器１０１，１０２とを順にリフトアップし、上で組立てる工法が採られていた。
しかし、かかる工法によると、作業が煩雑であるという問題がある。
また、案内表示器１０１，１０２は、吊下げ設置用であるため、床置きに適した構造、強度を有さず、作業上の取り扱いを困難にさせるという問題がある。
【０００４】
本発明は以上の従来技術における問題に鑑みてなされたものであって、薄型平面表示装置を用いた案内表示器の吊下げ設置の作業性を向上できる案内表示器の支持具及び設置工法を提供することを課題とする。
【課題を解決するための手段】
【０００５】
以上の課題を解決するための請求項１記載の発明は、薄型平面表示装置を用いた案内表示器の背部に連結され、吊下げ支持される連結具と、
前記連結具に連結されて前記案内表示器を床置状態に支持すること、及び前記連結具から下方への移動により離脱することを可能に構成されたスタンドとを備えた案内表示器の支持具である。
【０００６】
請求項２記載の発明は、前記連結具は、２つの前記案内表示器を背合せに連結可能に構成されている請求項１に記載の案内表示器の支持具である。
【０００７】
請求項３記載の発明は、前記連結具及び前記スタンドの側部に両者を互いに固定するボルトの挿入部が形成されている請求項２に記載の案内表示器の支持具である。
【０００８】
請求項４記載の発明は、前記スタンドは脚車を有する請求項１、請求項２又は請求項３に記載の案内表示器の支持具である。
【０００９】
請求項５記載の発明は、請求項１から請求項４のうちいずれか一に記載の案内表示器の支持具を用いた案内表示器の設置工法であって、
前記連結具及び前記スタンドが連結されて該スタンドによって支持された前記案内表示器を設置現場に運搬する工程と、
前記スタンドに支持させた状態で前記スタンドごとに前記案内表示器をリフターによりリフトアップし、前記連結具を吊下げ状態に連結する工程と、
前記スタンドを前記連結具から離脱させる工程とを以上の記載順で備える案内表示器の設置工法である。
【発明の効果】
【００１０】
本発明の案内表示器の支持具を用いれば、案内表示器のリフトアップ前に、スタンドをベースにして連結具、案内表示器を連結していくことによって、案内表示器及びその吊下げ用具の組立を容易にすることができ、組立の作業性が向上するという効果がある。
また、本発明の案内表示器の支持具を用いれば、案内表示器、連結具及びスタンドの組立後は、案内表示器に直接触れる必要は無くスタンド部分を扱うことによって案内表示器の取り回しが可能になり、案内表示器を傷付けたり変形させたりするおそれなく容易に取り扱うことができ、移動や点検、吊下げ設置など作業性が向上するという効果がある。
また、本発明の案内表示器の支持具を用いれば、スタンドごと案内表示器をリフトアップして吊下げ設置しても、スタンドは連結具から下方への移動により離脱するので、不要となったスタンドを容易に取り去ることができ、吊下げ設置の作業性を損なわないという効果がある。
【００１１】
特に、連結具に２つの案内表示器が背合せに連結される場合は、案内表示器の背後方向への離脱は困難になるので、スタンドが連結具から下方への移動により離脱する構成が有効に働く。また、吊下げ物全体を薄型に構成できる。
また、同じく連結具に２つの案内表示器が背合せに連結される場合においては、案内表示器の背後方向からのボルトの挿入が困難になるので、連結具及びスタンドの側部に両者を互いに固定するボルトの挿入部が形成されている構成が有効である。
また、移動の容易のため、スタンドは脚車を有することが好ましいが、脚車を有さないスタンドを台車に載せて移動させてもよい。
【００１２】
また、本発明の案内表示器の設置工法によれば、本発明の支持具を用い、連結具及びスタンドが連結されて該スタンドによって支持された案内表示器を設置現場に運搬するので、容易に運搬することができるとともに、工場での組立度を上げることができるという効果がある。
また、本発明の案内表示器の設置工法によれば、スタンドに支持させた状態でスタンドごとに案内表示器をリフターによりリフトアップし、連結具を吊下げ状態に連結するので、リフトアップが一度で済み、リフトアップ後の連結作業も連結具を吊下支柱などに吊下げ状態に連結する作業だけで済むので、工数が減り吊下げ設置の作業性が向上するという効果がある。
また、本発明の案内表示器の設置工法によれば、連結具を吊下げ状態に連結した後は、スタンドは連結具から下方への移動により離脱するので、不要なスタンドを容易に取り去ることができるという効果がある。
【発明を実施するための最良の形態】
【００１３】
以下に本発明の一実施形態につき図面を参照して説明する。以下は本発明の一実施形態であって本発明を限定するものではない。
【００１４】
本発明の一実施形態に係る案内表示器の吊下状態を示す斜視図を図１に、平面図を図２に示す。また、本発明の一実施形態に係る案内表示器の吊下及びスタンド連結状態を示す正面図を図３に、側面図を図４に、正面透視図を図５に示す。
【００１５】
図１〜図５に示すように、本実施形態に係る案内表示器の支持具は、２つの案内表示器を背合せに連結して吊下げ及び床置き状態に支持できるものである。本実施形態に係る案内表示器及びその支持具は、液晶表示装置等の薄型平面表示装置（フラットパネルディスプレイ：以下「ＦＰＤ」という。）１ａ，１ｂと、前側筐体部品２ａ，２ｂと、後側筐体部品３ａ，３ｂと、背面取付フレーム４ａ，４ｂと、アングル調整連結具５ａ，５ｂとを各一対ずつ有し、さらに吊下連結具６と、スタンド７と、吊下支柱８，８とを備えて構成される。
【００１６】
スタンド７は、ベースフレーム７ｂと、ベースフレーム７ｂに立設固定された門形フレーム７ａと、補強部材７ｃと、ベースフレーム７ｂに付設された脚車７ｄとを備えて構成されている。図５に示すように、門形フレーム７ａは、２つの柱部７ａ−２,３と、これらの頂部間に架設固定された上部梁部７ａ−１から構成されている。
【００１７】
吊下連結具６は、上部梁部６ａと、下部梁部６ｂと、下垂柱部６ｃ，６ｄとを備えて構成されている。下垂柱部６ｃ，６ｄの上端が上部梁部６ａに結合しており、上部梁部６ａの両端は下垂柱部６ｃ，６ｄに対して張り出している。下部梁部６ｂの両端が下垂柱部６ｃ，６ｄの上端に近いその内側部に結合している。
【００１８】
吊下げ設置時、上部梁部６ａは吊下支柱８，８の下端に連結固定される。なお、図５に示すように、上部梁部６ａは、吊下支柱８，８から延出する配線１２をそのまま通過させる孔を有し、背面取付フレーム４ａ，４ｂは配線挿入部１１を有しており、配線１２を配線挿入部１１に挿入して案内表示器筐体内に配線１２を通すことができる。
また、吊下連結具６にはサイドカバー１３が取付可能となっている。サイドカバー１３によって配線等を隠し美観を高めることができる。作業時にはサイドカバー１３を取り外しておくことができる。
【００１９】
スタンド７の連結時、下部梁部６ｂはスタンド７の上部梁部７ａ−１上に互いの長手方向を一致させて重ね置かれ、下垂柱部６ｃ，６ｄは、上部梁部７ａ−１の長手方向のそれぞれにおいて柱部７ａ−２,３の外側に隣接配置され、吊下連結具６は、門形フレーム７ａの上部を挟むように配置される。この状態において、下垂柱部６ｃ，６ｄに形成された孔と柱部７ａ−２,３に形成された雌ネジとが一致し、ボルト９を側方から挿入して吊下連結具６とスタンド７とを互いに締結固定することができる。
【００２０】
このようにスタンド７に吊下連結具６を連結した後、吊下連結具６の両側に、アングル調整連結具５ａ，５ｂを、防振ゴム１０を介して連結する。
次に、アングル調整連結具５ａ，５ｂに背面取付フレーム４ａ，４ｂを連結固定する。
次に、背面取付フレーム４ａ，４ｂの周縁部に後側筐体部品３ａ，３ｂの後面に形成された開口を合せて背面取付フレーム４ａ，４ｂに後側筐体部品３ａ，３ｂを固定する。
次に、背面取付フレーム４ａ，４ｂにＦＰＤ１ａ，１ｂ及び電源装置、通信装置等の必要な装置を固定する。
次に、蓋をするようにして、後側筐体部品３ａ，３ｂに前側筐体部品２ａ，２ｂを連結する。
以上のような組立は、工場内で行う。
【００２１】
以下に、案内表示器の設置工法につき説明する。
まず、上記のようにして組立てられた案内表示器を、スタンド７を有効に利用しつつ、設置現場に運搬する（図６(a)）。
次に、スタンド７に支持させた状態でスタンド７ごとに案内表示器をリフター１４に載せて、リフター１４によりリフトアップし、吊下連結具６を吊下支柱８，８に連結固定する（図６(b)、図７(a)）。
【００２２】
次に、ボルト９を外し、リフター１４によりスタンド７を下降させて、スタンド７を吊下連結具６に対して下方に移動させることにより吊下連結具６から離脱させ、さらにリフター１４によりスタンド７を下ろす（図７(b)）。この後スタンド７は、他の案内表示器の組立や運搬、設置工事のために使用することができる。スタンド７単独での運搬や保管のためにスタンド７は折畳又は分解容易に構成しておくとよい。
次に、配線作業を行い、サイドカバー１３を吊下連結具６に取り付ける。
【００２３】
以上のように、スタンド７は、床置状態時において案内表示器を床から離して支持する。これにより案内表示器を床への接触から保護する。また、スタンド７は、床置状態時において吊下連結具６の上下方向を吊下設置時と同じ方向に配置して支持する。これにより、吊下連結具６の吊下げ作業を容易にする。
なお、図４に示すアングル調整連結具５ａ，５ｂの場合、案内表示面は垂直に配置される。図８に示すように連結角度の異なる他のアングル調整連結具１５ａ，１５ｂを使用することによって、案内表示面を俯角に配置することができる。このように、アングル調整連結具は連結角度の異なる他種のものに交換することによって案内表示面の角度を変更できるものである。設置場所に応じて案内表示面の角度が決定され、工場でその角度に応じたアングル調整連結具を選択し組立てる。案内表示器又はその支持具に案内表示面の角度調整機能を設けないので、案内表示器及びその支持具を簡素かつ軽量に構成することができるとともに、角度を永続的に保持できる。また、設置現場で角度調整作業が必要ないので設置現場での作業性が向上する。
【図面の簡単な説明】
【００２４】
【図１】本発明の一実施形態に係る案内表示器の吊下状態を示す斜視図である。
【図２】本発明の一実施形態に係る案内表示器の吊下状態を示す平面図である。
【図３】本発明の一実施形態に係る案内表示器の吊下及びスタンド連結状態を示す正面図である。
【図４】本発明の一実施形態に係る案内表示器の吊下及びスタンド連結状態を示す側面図である。
【図５】本発明の一実施形態に係る案内表示器の吊下及びスタンド連結状態を示す正面透視図である。
【図６】本発明の一実施形態に係る案内表示器の設置工法を示す工程図である。
【図７】本発明の一実施形態に係る案内表示器の設置工法を示す図６に続く工程図である。
【図８】本発明の他の一実施形態に係る案内表示器の吊下状態を示す側面図である。
【図９】従来例に係る案内表示器の吊下状態を示す斜視図である。
【図１０】従来例に係る案内表示器の分解構成図である。
【図１１】従来例に係る案内表示器の設置工法を示す工程図である。
【符号の説明】
【００２５】
１ａ，１ｂ  ＦＰＤ
２ａ，２ｂ  前側筐体部品
３ａ，３ｂ  後側筐体部品
４ａ，４ｂ  背面取付フレーム
５ａ，５ｂ  アングル調整連結具
６     吊下連結具
７     スタンド
９     ボルト
１４   リフター
【図１】
2008310137.tif 000003
【図２】
2008310137.tif 000004
【図３】
2008310137.tif 000005
【図４】
2008310137.tif 000006
【図５】
2008310137.tif 000007
【図６】
2008310137.tif 000008
【図７】
2008310137.tif 000009
【図８】
2008310137.tif 000010
【図９】
2008310137.tif 000011
【図１０】
2008310137.tif 000012
【図１１】
2008310137.tif 000013